(57)【要約】      （修正有）【課題】同一層の布地が保湿及び導電の効果を併有し、使用寿命及び導電品質を向上させる保湿導電改良構造を提供する。【解決手段】保湿導電改良構造は、平織法または鎖編み法により保湿導電紗を平面体構造に交互に編組して、保湿導電紗２１が水分を保湿導電紗２１と人体の皮膚との間に直接に吸収及び放出可能に確保し、また、保湿導電紗２１は同一層に緻密に絡まれているため、保湿導電紗が長期間で潤湿されることによって導電及び保湿の効果に影響を与えることはない。【選択図】図３
0003182996.tif 000002
【実用新案登録請求の範囲】
【請求項１】
平面体構造に交互に編組された複数の保湿導電紗からなり、
各保湿導電紗は、複数の導電繊維と複数の保湿繊維とで混合紡績して形成されていることを特徴とする、
保湿導電改良構造。
【請求項２】
前記導電繊維は、金属繊維、カーボンナノチューブ繊維及びカーボン繊維のうち一つであることを特徴とする請求項１に記載の保湿導電改良構造。
【請求項３】
前記保湿繊維は、多孔質繊維、アルギン酸ナトリウム繊維、カルボキシメチルセルロース繊維及びレーヨン短繊維のうち一つであることを特徴とする請求項１に記載の保湿導電改良構造。
【請求項４】
前記保湿導電紗は、平織方式により平面体構造に交互に編組されることを特徴とする請求項１に記載の保湿導電改良構造。
【請求項５】
前記保湿導電紗は、鎖編み方式により平面体構造に交互に編組されることを特徴とする請求項１に記載の保湿導電改良構造。
【考案の詳細な説明】
【技術分野】
【０００１】
本考案は、保湿導電改良構造に係り、特に、保湿及び導電の効果を併有する保湿導電改良構造体に関する。
【背景技術】
【０００２】
図１に示すように、従来の生理検出用のセンシング素子１は、下地層１０と、下地層に設けられた導電層１１とを備え、使用時に、導電層を人体の皮膚に貼り付け、体から発する信号を検出するようになっている。しかし、一部の乾燥地域では、湿度が低すぎ、このようなセンシング素子１の導電層１１と人体の皮膚との間の導電効果があまり良くないため、体からの信号を検出することができない。そのため、図２に示すように、これらの事情に対し、導電層１１と下地層１０との間に保湿層１２を加え、保湿層１２で液体を吸い込んで導電層１１と人体の皮膚との間の湿度を向上させ、導電層１１の導電効果を高めるように改良を行ってきた。
しかし、保湿層１２と導電層１１とがそれぞれ異なる層であるため、保湿層１２が外部の水分を吸い込もうとすると、導電層１１を透過しなければならないため、吸水効果に影響してしまい、保湿層１２が水分を導電層１１と人体の皮膚との間に放出する場合も、導電層１１の阻止によってその水分の放出に影響を与えてしまう。また、保湿層１２と導電層１１とは外力により結合（例えば、接着）された２層であるため、長期間に亘る保湿層１２の高湿度の影響によって分離しやすく、これもセンシング素子１が元の効果を失う要因となっている。
【０００３】
以上に鑑みて、導電品質及び製品寿命を向上させる目的を達するように保湿及び導電の効果を有する構造を提供することが、本考案を創作する動機である。
【考案の概要】
【考案が解決しようとする課題】
【０００４】
本考案は、保湿及び導電の効果を有する保湿導電改良構造を提供することを主な目的とする。
【課題を解決するための手段】
【０００５】
前記目的を達成するため、本考案に係る保湿導電改良構造は、平面体構造に交互に編組された複数の保湿導電紗を備え、各保湿導電紗は、複数の導電繊維と複数の保湿繊維とで混合紡績して形成されている。
【０００６】
上記の保湿導電改良構造において、当該導電繊維は、金属繊維、カーボンナノチューブ繊維及びカーボン繊維のうち一つである。
【０００７】
上記の保湿導電改良構造において、当該保湿繊維は、多孔質繊維、アルギン酸ナトリウム繊維、カルボキシメチルセルロース繊維及びレーヨン短繊維のうち一つである。
【０００８】
上記の保湿導電改良構造において、これらの保湿導電紗は、平織方式により平面体構造に交互に編組される。
【０００９】
上記の保湿導電改良構造において、これらの保湿導電紗は、鎖編み方式により平面体構造に交互に編組される。
【考案の効果】
【００１０】
上記のような保湿導電改良構造は、平織法または鎖編み法により保湿導電紗を平面体構造に交互に編組して、保湿導電紗２１が水分を保湿導電紗２１と人体の皮膚との間に直接に吸収及び放出可能に確保し、また、保湿導電紗２１は同一層に緻密に絡まれているため、保湿導電紗が長期間で潤湿されることによって導電及び保湿の効果に影響を与えることはない。よって、本考案は、従来の技術上の欠点を確実に改善する。
【図面の簡単な説明】
【００１１】
【図１】従来の生理検出用のセンシング素子の側面図である。
【図２】従来の生理検出用のセンシング素子の側面図である。
【図３】本考案の保湿導電改良構造の第１実施例の保湿導電紗を示す図である。
【図４】本考案の保湿導電改良構造の第１実施例を示す図である。
【図５】本考案の保湿導電改良構造の第２実施例を示す図である。
【考案を実施するための形態】
【００１２】
本考案の特徴、特点及び技術内容をさらに深く理解するため、以下の本考案に係る詳細説明及び添付図面を参照するが、前記添付図面は参考や説明のみに提供され、本考案を限定するものではない。
【実施例】
【００１３】
図３は、本考案の保湿導電改良構造の第１実施例の保湿導電紗を示す図であり、図４は、本考案の保湿導電改良構造の第１実施例を示す図である。図３及び図４に示すように、本実施例では、本考案の保湿導電改良構造２０は、複数の保湿導電紗２１を備え、これらの保湿導電紗２１は、平織方式により平面体構造に交互に編組されている。
そのうち、各保湿導電紗２１は、導電繊維２１０と保湿繊維２１１とで混合紡績して形成され、導電繊維２１０は、金属繊維（ｍｅｔａｌ  ｆｉｂｅｒ）、カーボンナノチューブ繊維（ｃａｒｂｏｎ  ｎａｎｏｔｕｂｅ  ｆｉｒｂｅｒ）及びカーボン繊維（ｃａｒｂｏｎ  ｆｉｂｅｒ）のうち一つであり、保湿繊維２１１は、多孔質繊維（ｐｏｒｏｕｓ  ｆｉｂｅｒ）、アルギン酸ナトリウム繊維（ａｌｇｉｎａｔｅ  ｆｉｂｅｒ）、カルボキシメチルセルロース繊維（ｃａｒｂｏｘｙｍｅｔｈｙｌ  ｃｅｌｌｕｌｏｓｅ  ｆｉｂｅｒ）及びレーヨン短繊維（ｒａｙｏｎ  ｆｉｂｅｒ）のうち一つである。
【００１４】
図５は、本考案の保湿導電改良構造の第２実施例を示す図である。図５に示すように、本実施例では、本考案の保湿導電改良構造２０の保湿導電紗２１は、鎖編み方式により平面体構造に交互に編組され、これらの保湿導電紗２１の材質は、第１実施例の記述とおりである。
【００１５】
上記のような保湿導電改良構造は、平織法または鎖編み法により保湿導電紗を平面体構造に交互に編組して、保湿導電紗２１が水分を保湿導電紗２１と人体の皮膚との間に直接に吸収及び放出可能に確保する。
また、保湿導電紗２１は同一層に緻密に絡まれているため、保湿導電紗が長期間で潤湿されることによって導電及び保湿の効果に影響を与えることはない。よって、本考案は、従来の技術上の欠点を確実に改善した。
【００１６】
以上は、単に本考案の好ましい具体的な実施例に過ぎず、本考案の実用新案登録請求の範囲を限定するものではなく、本考案の実用新案登録請求の範囲及び明細書の内容によって実施した簡単的等価な変更や修飾などは、いずれも本考案の主張範囲内に納入されるべきことは言うまでもない。
【符号の説明】
【００１７】
１      センシング素子
１０    下地層
１１    導電層
１２    保湿層
２０    保湿導電改良構造
２１    保湿導電紗
２１０  導電繊維
２１１  保湿繊維
【図１】
0003182996.tif 000003
【図２】
0003182996.tif 000004
【図３】
0003182996.tif 000005
【図４】
0003182996.tif 000006
【図５】
0003182996.tif 000007